(57)【要約】【課題】照明手段の設置手間やメンテナンスを簡便にできるとともに、２枚以上の棚板を効率よく照らすことができる収納家具を提供すること。【解決手段】少なくとも２枚以上の棚板１１と、棚板１１を支持する支持体１２とが設けられた収納家具であって、棚板１１の端部側に単一の照明手段１３が設けられており、照明手段１３は、棚板１１の収納部側が照明されるように２枚以上の棚板１１に向かって発光していることにより、単一である照明手段１３の設置手間やメンテナンスを簡便にできるとともに、２枚以上の棚板１１を効率よく照らすことができる。また、棚板１１の端部側から発光し収納部側が照明されるため、照明の演出的効果が得られる。【選択図】図３
2008055039.tif 000002
【特許請求の範囲】
【請求項１】
少なくとも２枚以上の棚板と、該棚板を支持する支持体とが設けられた収納家具であって、前記棚板の端部側に単一の照明手段が設けられており、該照明手段は、前記棚板の収納部側が照明されるように前記２枚以上の棚板に向かって発光していることを特徴とする収納家具。
【請求項２】
前記棚板が導光板で形成されているとともに、前記照明手段が前記棚板の端部に向かって発光していることを特徴とする請求項１に記載の収納家具。
【請求項３】
前記支持体は、前記棚板の端部を貫通させ支持する支持板を備え、該支持板の裏面側に前記照明手段が設けられていることを特徴とする請求項２に記載の収納家具。
【請求項４】
前記照明手段による照光の少なくとも一部を、前記棚板の収納部側に向かって進行させる反射手段が、前記支持板の裏面側に設けられていることを特徴とする請求項３に記載の収納家具。
【請求項５】
前記支持板の裏面側に貫通した前記棚板の端部の突出長さが、前記照明手段に近方の棚板から遠方の棚板に向かって、順次長くなるように形成されていることを特徴とする請求項３または４に記載の収納家具。
【発明の詳細な説明】
【技術分野】
【０００１】
本発明は、少なくとも２枚以上の棚板と、該棚板を支持する支持体とが設けられた収納家具に関する。
【背景技術】
【０００２】
従来の収納家具は、収納家具を構成する棚板の端部側に照明手段が設けられており、この照明手段により各棚板における収納部を照明している（例えば、特許文献１参照）。
【０００３】
【特許文献１】実開平６−３８１１７号公報（第５頁、第２図）
【発明の開示】
【発明が解決しようとする課題】
【０００４】
しかしながら、特許文献１にあっては、各棚板における照明効率を維持するために、１枚の棚板につき１式の照明手段が設けられているため、棚板の枚数と同数量の照明手段を必要とし、特に多数の棚板を構成する収納家具の場合には、照明手段の設置手間が相当量かかり、照明手段を構成する発光体の交換等を含むメンテナンスにも難があった。
【０００５】
本発明は、このような問題点に着目してなされたもので、照明手段の設置手間やメンテナンスを簡便にできるとともに、２枚以上の棚板を効率よく照らすことができる収納家具を提供することを目的とする。
【課題を解決するための手段】
【０００６】
上記課題を解決するために、本発明の請求項１に記載の収納家具は、少なくとも２枚以上の棚板と、該棚板を支持する支持体とが設けられた収納家具であって、前記棚板の端部側に単一の照明手段が設けられており、該照明手段は、前記棚板の収納部側が照明されるように前記２枚以上の棚板に向かって発光していることを特徴としている。
この特徴によれば、２枚以上の棚板に向かって発光して照らす単一のみの照明手段が設けられているため、単一である照明手段の設置手間やメンテナンスを簡便にできるとともに、２枚以上の棚板を効率よく照らすことができる。また、棚板の端部側から発光し収納部側が照明されるため、照明の演出的効果が得られる。
【０００７】
本発明の請求項２に記載の収納家具は、請求項１に記載の収納家具であって、前記棚板が導光板で形成されているとともに、前記照明手段が前記棚板の端部に向かって発光していることを特徴としている。
この特徴によれば、照明手段が、収納物を載置する導光板で形成された棚板の端部に向かって照らしていることにより、棚板の板面にて反射する反射光で照らす場合と比べて、照明手段と棚板との間の遮蔽物（収納物）の影響を受けることがなく、導光板で形成された棚板の板面を利用して発光させ、常時安定して照らすことができる。
【０００８】
本発明の請求項３に記載の収納家具は、請求項２に記載の収納家具であって、前記支持体は、前記棚板の端部を貫通させ支持する支持板を備え、該支持板の裏面側に前記照明手段が設けられていることを特徴としている。
この特徴によれば、照明手段を支持板の裏面側に設けたことにより、支持板の前面側からは照明手段を露出させることがなく、照明手段による直接光は支持板で遮られ、導光板で形成された棚板を介してのみ収納部側を照らすため、照明の演出的効果が高まる。
【０００９】
本発明の請求項４に記載の収納家具は、請求項３に記載の収納家具であって、前記照明手段による照光の少なくとも一部を、前記棚板の収納部側に向かって進行させる反射手段が、前記支持板の裏面側に設けられていることを特徴としている。
この特徴によれば、棚板の端部に向かって進行する照光の少なくとも一部が、反射手段により効率的に収納部側に向かって進行するため、光源としての照明手段による照光の照度を維持できる。
【００１０】
本発明の請求項５に記載の収納家具は、請求項３または４に記載の収納家具であって、前記支持板の裏面側に貫通した前記棚板の端部の突出長さが、前記照明手段に近方の棚板から遠方の棚板に向かって、順次長くなるように形成されていることを特徴としている。
この特徴によれば、遠方の棚板が近方の棚板により遮られることなく、全ての棚板の端部が、照明手段側から視て現れているため、照明手段が、全ての棚板の端部を直接照らしやすくなる。
【発明を実施するための最良の形態】
【００１１】
本発明の実施例を以下に説明する。
【実施例１】
【００１２】
本発明の実施例１を図面に基づいて説明すると、先ず図１は、本発明の実施例１における収納家具の全体像を示す斜視図である。図２は、棚板の平面図及び側面図である。図３は、図１のＣ−Ｃ一部断面図である。図４は、図３の囲い部拡大図である。
【００１３】
図１に示されるように、本実施例におけるキッチンカウンタ１は、天板２と底板９及び左右の外側板６、６とからなる箱状に形成され、前面側と後面側とに亘って使用できるいわゆるアイランド型カウンタであって、前後方向にキッチン側Ａと収納側Ｂとに区別されており、キッチンカウンタ１内部における前後方向略中央位置に、キッチンカウンタ１内部を区画する区画板８が左右方向に配設されている。以下、キッチン側Ａを説明する場合はキッチン側Ａに向かう使用者から視た前後左右方向とし、逆に、収納側Ｂを説明する場合は収納側Ｂに向かう使用者から視た前後左右方向とする。
【００１４】
キッチン側Ａには、前面側に適宜開閉扉若しくは開閉引出しを備え、キッチンカウンタ１の上面を構成する天板２において、シンク３、調理台２’及びコンロ４が設けられている。
【００１５】
収納側Ｂの左右両側には、天板２と底板９及び区画板８と外側板６、内側板７により仕切られた内部空間を有する収納部５、５を夫々備え、収納部５の前部には、外側板６、内側板７の前側辺に回動可能に枢支した開閉扉５ａを設けている。
【００１６】
図１及び図３に示されるように、左右の両内側板７、７の対向面間における区画板８より手前側に、後述する棚板１１を支持する支持体であって区画板８と略平行に設けた支持板１２を配設し、左右の両内側板７、７と支持板１２とにより仕切られた収納凹部１０を備え、収納凹部１０内には、左右の両内側板７、７の対向面間に２枚の棚板１１が、その後端部を支持板１２に略水平方向に設けられたスリット孔１２ａに貫通して支持され、夫々上面１１ｆに収納物を載置できるように所定間隔で上下段を構成して設置されている。
【００１７】
収納凹部１０の前部には、特段の開閉扉等は設けておらず、キッチンカウンタ１を設置した室内の光により、棚板１１に載置した収納物を収納凹部１０の手前側から視認できるようになっている。但し、収納凹部１０の上方は天板２で被覆されているため、収納凹部１０の支持板１２側、即ち奥側は室内の光が十分差さず、手前側と比べて視認し難くなっている。
【００１８】
図２及び図３に示されるように、棚板１１は、内部に照光を導入させる導光板であるとともに、透明性を備えるガラス板から成っており、特に上面１１ｆ及び下面１１ｇは凹凸なく鏡面状に形成されている。ここで導光板とは、一面から内部に照光を導入させるとともに、他面から外部に該照光を導出させる性質を備えた板のことであって、上記ガラス板に限られず、例えば、アクリル板若しくはプラスチック板等であってもよく、板の素材については特に限定されるものではない。棚板１１の後端部の左右両側は、スリット孔１２ａの左右幅に合わせて前面側と比べて幅狭の段部１１ｅ、１１ｅに形成され、段部１１ｅの後端面を支持板１２の前面に当接させる位置まで棚板１１を支持板１２に貫通する。棚板１１の支持板１２前面側における上面１１ｆが、収納物を載置する収納部側を構成している。
【００１９】
また、支持板１２に貫通した２枚の棚板１１、１１は、その後端面１１ｃが上面１１ｆの後辺から、該後辺より前端面１１ａ側に位置する下面１１ｇの後辺に向かって傾斜するテーパ面に形成されており、上記テーパ面により、後述のように照明具１３による照光の少なくとも一部を反射する反射手段を構成している。
【００２０】
上方の棚板１１の上記テーパ面に形成された後端面１１ｃには、棚板１１と別体であって反射効率の高い金属プレートからなる反射体２１が貼付されており、上記テーパ面に形成された後端面１１ｃと反射体２１とにより、後述のように照明具１３による照光Ｋを反射する反射手段を構成している。また、下方の棚板１１の後端面１１ｃと離間した下方近傍において、母材４１が、その上面４１ａが上記テーパ面に形成された棚板１１の後端面１１ｃと略平行を成すように斜上方を向いて左右方向に延設されており、反射手段を構成する反射体２２が、母材４１の上面４１ａを被覆するように貼付されている。
【００２１】
左右の両内側板７、７と天板２、区画板８及び支持板１２で仕切られた、即ち支持板１２の裏面側において形成された中空部１５ａにおける上部には、保持具１３ｂと、保持具１３ｂ内部に略鉛直下方に向けて配設された単一の発光ダイオード（ＬＥＤ）からなる発光体１３ａと、から構成された照明具１３が左右幅方向に延設されており、発光体１３ａに電力を供給するケーブル（図示略）の一端が接続されている。また、天板２前側面には、発光体１３ａをＯＮ／ＯＦＦさせるタッチ式のスイッチ１８が設けられている（図１参照）。
【００２２】
また、図３及び図４に示されるように、中空部１５ａにおける照明具１３の略鉛直下方には、支持板１２のスリット１２ａを貫通した棚板１１の後端部が突出している。支持板１２の裏面側に貫通した棚板１１の後端部の突出長さは、上方の棚板１１と下方の棚板１１とで略同じ長さになるように形成されている。
【００２３】
尚、発光体１３ａは、必ずしも本実施例の発光ダイオードに限定されるものではなく、例えば、蛍光灯、電球等、他の公知の発光体であってもよい。また、スイッチは、必ずしも本実施例のタッチ式に限られず、例えばキッチン使用者の手などを検知して制御するセンサ式であってもよい。
【００２４】
次に、照明具１３の使用について説明する。
【００２５】
図１及び図３に示されるように、スイッチ１８をＯＮ操作することにより、照明具１３に電源が供給され、単一の発光体１３ａが発光する。発光体１３ａは発光ダイオードであるため、前後方向に所定の幅長を有する帯状の照光Ｋは、指向性を有し拡散せずに一定方向（略鉛直下方）に進行する性質を備えており、棚板１１の後端部に照射される。
【００２６】
単一の発光体１３ａから略鉛直下方に向かって発せられた前後方向に所定の幅長を有する帯状の照光Ｋは、照明具１３に上方の棚板１１の後端面１１ｃにおいて反射体２１により反射して、支持板１２の前面側に向かって棚板１１内部を進入する。同様に、照光Ｋは、下方の棚板１１の後端面１１ｃにおいて反射体２２により反射して、支持板１２の前面側に向かって棚板１１内部を進入する。
【００２７】
このようにすることで、照明具１３が、収納物を載置する導光板で形成された棚板１１の後端部に向かって照らしていることにより、棚板１１の板面にて反射する反射光で照らす場合と比べて、照明手段と棚板との間の遮蔽物（収納物）の影響を受けることがなく、導光板で形成された棚板１１の板面を利用して発光させ、常時安定して照らすことができる。
【００２８】
また、このようにすることで、２枚の棚板１１、１１に向かって発光して照らす単一のみの照明具１３が設けられているため、単一である照明具１３の設置手間やメンテナンスを簡便にできるとともに、２枚の棚板１１、１１を効率よく照らすことができる。また、棚板１１の後端側から発光し収納部側が照明されるため、室内の光のみでは視認し難い収納凹部１０の支持板１２側も十分に視認でき、照明の演出的効果が得られる。
【００２９】
そして照光Ｋは、棚板１１の上面１１ｆ、下面１１ｇの両面を反射して屈折若しくは外部に向かって透過を繰り返しながら、棚板１１の上面１１ｆ、下面１１ｇ、前端面１１ａ及び両側端面から、棚板１１の外部に向かって照らす。
【００３０】
このようにすることで、棚板１１の後端部に向かって進行する照光Ｋが、反射手段としてのテーパ面に形成された後端面１１ｃ及び反射体２１、により効率的に収納部側に向かって進行するため、光源としての照明具１３による照光の照度を維持できる。
【００３１】
また、このようにすることで、照明具１３を支持板１２の裏面側に設けたことにより、支持板１２の前面側からは照明具１３を露出させることがなく、照明具１３による直接光は支持板１２で遮られ、導光板で形成された棚板１１を介してのみ収納部側を照らすため、照明の演出的効果が高まる。
【実施例２】
【００３２】
次に、本発明の実施例２を図面に基づいて以下に説明すると、図５は、本発明の実施例２における収納凹部の一部断面図である。図６は、図５の囲い部拡大図である。上記実施例１と重複する構成については説明を省略する。
【００３３】
図５及び図６に示されるように、上方の棚板１１は、上記したようにテーパ面に形成された後端面１１ｃが上方を向くようにして、支持板１２のスリット孔１２ａに貫通して支持されている。また、下方の棚板１１は、上記テーパ面に形成された後端面１１ｃが下方を向くようにして、支持板１２のスリット孔１２ａに貫通して支持されている。
【００３４】
次に、照明具１３’は、上方の棚板１１と下方の棚板１１の略中間の高さ位置において、発光体１３ａ’を支持板１２の後方側、即ち区画板８側に向くようにして、支持板１２の裏面に取付けられている。このように取付けられた照明具１３’の発光体１３ａ’から照射された照光Ｋは、上下方向に所定の幅長を有する帯状を成し、区画板８に向けて略水平に照射されるように成っている。
【００３５】
本実施例における反射手段としての反射体２３〜２５について説明すると、先ず反射体２３〜２５を貼付する母材４２は、区画板８の前面側において左右方向に延設されており、その形状は、照明具１３’の取付けられた高さ位置を中央高さ位置として、この中央高さ位置において支持板１２側に向けて膨出した膨出部４２ｅを設け、この膨出部４２ｅを構成する斜上方を向く傾斜面４２ａと、同様に膨出部４２ｅを構成する斜下方を向く傾斜面４２ｂとを備えるとともに、上方の棚板１１における斜上方を向く後端面１１ｃの上方近傍においてこの後端面１１ｃと略平行を成す傾斜面４２ｃと、下方の棚板１１における斜下方を向く後端面１１ｃの下方近傍においてこの後端面１１ｃと略平行を成す傾斜面４２ｄとを備えている。反射手段を構成する反射体２３が、母材４２の傾斜面４２ａ、４２ｂを被覆するように貼付されており、同様に、反射体２４が傾斜面４２ｃに貼付され、反射体２５が傾斜面４２ｄに貼付されている。
【００３６】
単一の発光体１３ａ’から区画板８に向けて略水平に発せられた照光Ｋは、その一部の照光Ｋ１が反射体２３により反射して上方に向けて進行するとともに、他の一部の照光Ｋ２が反射体２３により反射して下方に向けて進行する。そして、上方に向けて進行した照光Ｋ１は、反射体２４により反射して上方の棚板１１の後端面１１ｃに向けて略水平に進行し、支持板１２の前面側に向かって棚板１１内部を進入して、棚板１１の上面１１ｆ、下面１１ｇの両面を反射して屈折若しくは外部に向かって透過を繰り返しながら、棚板１１の上面１１ｆ、下面１１ｇ、前端面１１ａ及び両側端面から、棚板１１の外部に向かって照らす。同様に、下方に向けて進行した照光Ｋ２は、反射体２５により反射して下方の棚板１１の後端面１１ｃに向けて略水平に進行し、支持板１２の前面側に向かって棚板１１内部を進入して、棚板１１の上面１１ｆ、下面１１ｇ、前端面１１ａ及び両側端面から、棚板１１の外部に向かって照らす。このように、複数の反射体２３〜２５を構成することで、照光Ｋを任意の方向に進行させることができる。
【００３７】
尚、上記実施例２の変形例として、照明具が、上方の棚板１１と下方の棚板１１の略中間の高さ位置において、発光体を実施例２とは逆方に支持板１２側を向くようにして、区画板８の前面に取付けられているとともに、反射体が、支持板１２の裏面側において左右方向に延設された、上方を向く傾斜面と下方を向く傾斜面とを備える第１の反射体（実施例２における反射体２３に相当）と、上方の棚板１１の後端面１１ｃに対し略平行を成す傾斜面と下方の棚板１１の後端面１１ｃに対し略平行を成す傾斜面とを備える第２の反射体（実施例２における反射体２４、２５に相当）とから構成されていてもよい。
【００３８】
このようにすることで、発光体１３ａから支持板１２の裏面に向けて略水平に発せられた照光Ｋは、上記実施例２と同様に進行し、上方の棚板及び下方の棚板の外部に向かって照らす。
【実施例３】
【００３９】
次に、本発明の実施例３を図面に基づいて以下に説明すると、図７は、本発明の実施例３における収納凹部の一部断面図である。図８は、図７の囲い部拡大図である。尚、上記実施例１と重複する構成については説明を省略する。
【００４０】
図７及び図８に示されるように、上方の棚板１１、下方の棚板１１において後端部の突出長さ１１ｄが略同じ長さに形成されるとともに、テーパ面に形成された後端面１１ｃのみで反射手段を構成している。
【００４１】
単一の発光体１３ａから略鉛直下方に向かって発せられた照光Ｋは、照明具１３に近方である上方の棚板１１の後端面１１ｃにおいて一部が反射して、照光Ｋ３として支持板１２の前面側に向かって棚板１１内部を進入する。そして照光Ｋの一部である照光Ｋ３は、棚板１１の上面１１ｆ、下面１１ｇの両面を反射して屈折若しくは外部に向かって透過を繰り返しながら、棚板１１の上面１１ｆ、下面１１ｇ、前端面１１ａ及び両側端面から、棚板１１の外部に向かって照らす。
【００４２】
また、照光Ｋの他の一部は、導光性を有する棚板１１の後端面１１ｃを透過して、照光Ｋ４として更に略鉛直下方における下方の棚板１１に向かって進行する。
【００４３】
また、２枚全ての棚板１１、１１において後端部の突出長さ１１ｄが略同じ長さに形成されるとともに、テーパ面に形成された後端面１１ｃのみで反射手段を構成している。このようにすることで、２枚全ての棚板１１の形状寸法を略同一に形成できるため、棚板１１の製作手間やコストを軽減できるばかりか、設置位置を誤る虞がなく設置が容易である。
【実施例４】
【００４４】
次に、本発明の実施例４を図面に基づいて以下に説明すると、図９は、本発明の実施例４における収納凹部の一部断面図である。図１０は、図９の囲い部拡大図である。尚、上記実施例１と重複する構成については説明を省略する。
【００４５】
図９及び図１０に示されるように、収納凹部１０内には、３枚の棚板３１、３１’、３１’’が、その後端部を支持板１２に略水平方向に設けられたスリット孔１２ａに貫通して支持され、夫々上面に収納物を載置できるように所定間隔で上下段を構成して設置されている。
【００４６】
支持板１２に貫通した棚板３１’の後端面３１ｃ’は、上面３１ｆ’の後辺から、該後辺より前端面３１ａ’側に位置する下面３１ｇ’の後辺に向かって傾斜するテーパ面に形成されるとともに、このテーパ面に形成された後端面３１ｃ’に、棚板３１’と別体であって反射効率の高い金属プレートからなる反射体２１が貼付されており、上記テーパ面に形成された後端面３１ｃ’と反射体２１とにより、後述のように照明具１３による照光Ｋを反射する反射手段を構成している。棚板３１’より上方の棚板３１及び下方の棚板３１’’も、上記した棚板３１’と同様の反射手段を構成している。尚、棚板と別体に設ける反射体は、少なくとも棚板より反射効率の高い性質を備えていれば、例えば、金属プレートよりも肉薄の金属箔を貼付してもよいし、金属蒸着により棚板に取付けてもよい。
【００４７】
また、支持板１２の裏面側に貫通した棚板３１、３１’、３１’’の後端部の突出長さ３１ｄ、３１ｄ’、３１ｄ’’は、照明具１３に近方である上方の棚板３１における後端部の突出長さ３１ｄから、遠方である真ん中の棚板３１’における後端部の突出長さ３１ｄ’、さらに遠方である下方の棚板３１’’における後端部の突出長さ３１ｄ’’に向かって、順次長くなるように形成されている。
【００４８】
図８に示されるように、単一の発光体１３ａから略鉛直下方に向かって発せられた前後方向に所定の幅長を有する帯状の照光Ｋは、導光性を有する棚板３１、３１’、３１’’の後端面３１ｃ、３１ｃ’、３１ｃ’’を照らし、後端面３１ｃ、３１ｃ’、３１ｃ’’において反射体２１により反射して、支持板１２の前面側に向かって棚板３１、３１’、３１’’内部を進入する。即ち、発光体１３ａは、棚板３１、３１’、３１’’の収納部側が照明されるように３枚の棚板３１、３１’、３１’’に向かって発光している。
【００４９】
支持板１２の裏面側に貫通した棚板３１、３１’、３１’’の後端部の突出長さ３１ｄ、３１ｄ’、３１ｄ’’が、照明具１３’に近方の棚板３１における後端部の突出長さ３１ｄから、遠方である真ん中の棚板３１’における後端部の突出長さ３１ｄ’、さらに遠方である下方の棚板３１’’における後端部の突出長さ３１ｄ’’に向かって、順次長くなるように形成されていることにより、遠方の棚板が近方の棚板により遮られることなく、全ての棚板３１、３１’、３１’’の後端が、照明具１３側から視て現れているため、照明具１３が、全ての棚板３１、３１’、３１’’の後端部を直接照らしやすくなる。
【００５０】
また、このようにすることで、棚板３１、３１’、３１’’の後端部に向かって進行する照光Ｋのほぼ全部が、テーパ面に形成された後端面３１ｃ、３１ｃ’、３１ｃ’’と反射体２１とからなる反射手段により効率的に収納部側に向かって進行するため、光源としての照明具１３による照光Ｋの照度を十分に確保して、３枚の棚板３１、３１’、３１’’の収納部側を照らすことができる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、上記実施例では、収納家具としてアイランド式のキッチンカウンタ１が設けられていたが、２枚以上の棚板と、該棚板を支持する支持体とが設けられた収納家具であれば、収納品目若しくは開き扉等の収納家具の用途・仕様は本実施例に限られず、例えば、飾り戸棚でもよいし、書棚でもよい。
【００５３】
また、上記実施例１ないし３では棚板の枚数は２枚であり、実施例４では棚板の枚数は３枚であったが、少なくとも２枚以上であれば、４枚以上の多数であってもよい。また、単一の照明手段とは、少なくとも２枚以上の棚板に対して設けられた単一の照明手段であればよく、例えば５枚の棚板が設けられた収納家具に、単一の照明手段が２式設けられており、２枚組と３枚組とに組分けされた棚板の各組ごとに１式の照明手段が照らしてもよい。更に、収納家具に設けられた全ての棚板を照らす必要はなく、例えば５枚の棚板が設けられた収納家具に、単一の照明手段が設けられており、前記５枚のうち２枚の棚板を照明手段が照らしてもよい。尚、単一の照明手段とは、発光素子又は発光源が一つであることを意味するだけではなく、複数の発光素子又は発光源を一つの照明装置にまとめたものを含む。
【００５４】
また、上記実施例では、棚板１１は、導光性を有しているとともに、支持体としての支持板１２により支持されており、後端面１１ｃから内部に照光を導入させて収納部側が照明されるように、照明手段が発光しているが、例えば棚板は、導光性及び透明性を有しておらず、また支持体として上下方向に立設された棒状体により支持されており、棚板の後端側に設けた照明手段により、この棚板の収納部側を直接照らし反射させて、カウンタ部を照らすようにしてもよい。
【００５５】
また、上記実施例では、単一の照明手段が、棚板の後端側に設けられ、棚板の後端面１１ｃに向かって発光しているが、例えば、照明手段は、棚板の左右の側端側に設けられ、棚板の左右の側端面に向かって発光してもよいし、また照明手段は、棚板の前端側に設けられ、棚板の前端面に向かって発光してもよい。
【００５６】
更に、上記実施例では、棚板１１の上面１１ｆ及び下面１１ｇは、鏡面状に形成されており、後端面１１ｃより棚板１１内部を上面１１ｆと下面１１ｇとを反射しながら進行する照光は、上面１１ｆ及び下面１１ｇ、前端面１１ａ、側端面１１ｂから外部に向けて発光しているが、例えば、上面若しくは下面にドット状に凹凸部が形成される等、公知の粗面加工が施されており、上面若しくは下面から外部に向けて、より照度を高く維持した状態で発光するようにしてもよい。
【００５７】
また、上記実施例では、反射手段は母材４１、４２に設けられているが、例えば、反射手段は、区画板８、支持板１２の全面又は一部に設けられていてもよい。
【図面の簡単な説明】
【００５８】
【図１】本発明の実施例１における収納家具の全体像を示す斜視図である。
【図２】棚板の平面図及び側面図である。
【図３】図１のＣ−Ｃ一部断面図である。
【図４】図３の囲い部拡大図である。
【図５】本発明の実施例２における収納凹部の一部断面図である。
【図６】図５の囲い部拡大図である。
【図７】本発明の実施例３における収納凹部の一部断面図である。
【図８】図７の囲い部拡大図である。
【図９】本発明の実施例４における収納凹部の一部断面図である。
【図１０】図９の囲い部拡大図である。
【符号の説明】
【００５９】
１                キッチンカウンタ
２                天板
２’              調理台
３                シンク
４                コンロ
５                収納部
５ａ              開閉扉
６                外側板
７                内側板
８                区画板
９                底板
１０              収納凹部
１１              棚板
１１ａ            前端面
１１ｂ            側端面
１１ｃ            後端面
１１ｄ            後端部の突出長さ
１１ｅ            段部
１１ｆ            上面
１１ｇ            下面
１２              支持板（支持体）
１２ａ            スリット孔
１３              照明具（照明手段）
１３ａ            発光体
１３ｂ            保持具
１５ａ            中空部
１８              スイッチ
２１              反射体（反射手段）
２２              反射体（反射手段）
２３、２４、２５  反射体（反射手段）
３１              棚板
３１’、３１’’    棚板
３１ｃ            後端面
３１ｃ’、３１ｃ’’後端面
３１ｄ            後端部の突出長さ
３１ｄ’、３１ｄ’’後端部の突出長さ
４１              母材
４１ａ            傾斜面
４２              母材
４２ａ〜４２ｄ    傾斜面
４２ｅ            膨出部
Ａ                キッチン側
Ｂ                収納側
Ｋ                照光
【図１】
2008055039.tif 000003
【図２】
2008055039.tif 000004
【図３】
2008055039.tif 000005
【図４】
2008055039.tif 000006
【図５】
2008055039.tif 000007
【図６】
2008055039.tif 000008
【図７】
2008055039.tif 000009
【図８】
2008055039.tif 000010
【図９】
2008055039.tif 000011
【図１０】
2008055039.tif 000012